(57)【要約】      （修正有）【課題】プラスチック製容器等を使用するボラ土栽培容器と、細粒のボラ土を培土として土を耕さないで野菜・薬草の甘草・オタネ（高麗）ニンジン・大和トウキ・ニンニク・ヤーコン・エゾウコギ栽培・わさび栽培が出来るボラ土容器栽培方法を提供する。【解決手段】プラスチック製容器１等の側面全体に底面からの高さ２ｃｍの位置に直径５ｍｍ以内の複数の排水孔２と容器の側面全体に排水孔２の高さより高い適宜の位置に直径５ｍｍ以内の複数の通気孔３を設けた形状を有するボラ土栽培容器、およびボラ土栽培容器に細粒ボラ土を培土４として土を耕さないで野菜・薬草の甘草・オタネ（高麗）ニンジン・大和トウキ・ニンニク・ヤーコン・エゾウコギ栽培・わさび栽培が出来るボラ土容器栽培方法。【選択図】図２
2019187399.tif 000002
【特許請求の範囲】
【請求項１】
プラスチック製容器等を使用して側面全体に底面から高さ２ｃｍの位置に複数の直径５ｍｍ以内の排水孔及び側面全体に排水孔の高さより高い適宜の位置に複数の直径５ｍｍ以内の通気孔を設けたことを特徴とするボラ土栽培容器
【請求項２】
［請求項１］の容器に底面より１０ｃｍ以上２５ｃｍ以内の高さの細粒ボラ土を培土とし種を蒔き又は苗を植え付けて土を耕さずに野菜・薬草の甘草・オタネ（高麗）ニンジン・大和トウキ・ニンニク・ヤーコン・エゾウコギ栽培・わさび栽培できることを特徴とするボラ土容器栽培方法。
【請求項３】
［請求項１］および［請求項２］を使用して、ボラ土栽培容器・培土のボラ土・野菜及び薬草の甘草・オタネ（高麗）ニンジン・大和トウキ・ニンニク・ヤーコン・エゾウコギ・わさびの種子及び苗をセットにしたボラ土容器栽培セット
【発明の詳細な説明】
【技術分野】野菜・薬草栽培技術【０００１】  この発明は、野菜・薬草の甘草・オタネ（高麗）ニンジン・大和トウキ・ニンニク・ヤーコン・エゾウコギ栽培・わさび栽培に用いるボラ土栽培容器の形状及び細粒のボラ土を培土として土を耕さずに野菜・薬草の甘草・オタネ（高麗）ニンジン・大和トウキ・ニンニク・ヤーコン・エゾウコギ栽培・わさび栽培ができるボラ土容器栽培方法に関する。
【背景技術】
【０００２】  現在農業の課題は農業従事者の高齢化・農業人口の減少・未耕作地の増加により国の食料自給率は約４０％まで落ち込んでいる。この課題解決のため農林水産省は新規就農者育成補助制度及び『地域の活動創造プラン』『人・農地プラン』の作成計画推進等により新規就農者補助金・集落営農の組織法人化・企業と連携して農業を営む連携プロジャクトを推進し農業所得倍増を目指している。しかし、農地持ち非農家を集約して新規就農者に貸出し組織法人化しても新規就農者の約３割は就農後離農している。またアグリビジネス参入企業の４割は採算が取れずに撤退を余儀なくされているのが現状である。離農・企業撤退の最大の理由は土地利用型農業は生産コストが掛かり利益が出ない『儲からない農業』になっているからである。露地・施設栽培は農地に依存し農地を耕し作物を栽培しているこの農地を耕し植付から収穫まで多大の労働力・時間を費やし、労働力＝人件費・時間を削減するために機械を取り入れすべて機械を使用している機械化一貫体制は、農家を兼業化の方向に向かわせ農業所得率の低下＝機械化貧乏になり機械を装備しえない農家は、請負耕作や作業委託に出すことになり生産から振り落とされた。機械化一貫体制は収益より生産コストが高くなりコストが膨らみ農業貧乏・『儲からない農業』になり後継者の若者たちが離農し農業人口の減少・農業従事者の高齢化・未耕作地の増加を招き農業が脆弱化した。
【発明の概要】
【発明が解決しようとする課題】
【０００３】  しかしながら以上の技術によれば土地利用型農業は農地・機械に依存し野菜の露地・施設栽培においても農地を機械で耕し栽培している。このため震災により汚染された地域及び農地を保有しているが自然災害により農地が使用出来ず農業をしたくても出来ない地域で農地に依存しなくても栽培出来る方法が必要である。また日本の薬用作物の生薬原料は輸入に頼り輸入価格の高騰により農水省・厚生省は国内栽培地域を模索し国内産原料生産拡大を求め薬用作物の産地化に向けた支援に努めているが薬草栽培は農地土壌の栽培条件が厳しく排水性が良い土壌・除草剤の使用禁止・害虫駆除の農薬使用制限・生薬原料が主根である為収穫時の新農業機械が高価なため生産コストが掛かり薬草栽培の産地化は普及していない。このことから「簡単で生産コストを掛かけない栽培方法でないと農業はますます衰退する」儲からない農業を、『儲かる農業』にするためには農地を耕さず生産コストを最小限にして機械を使用しなくても栽培できる方法を用いて高収益農業者を育成し農業ビジネス化を情報発信することで農業経営が儲かる高収益ビジネス企業に成り得る。「簡素化・稼げる・効率化」が農業の未来を「儲かる農業」にできる。離農して故郷を後にした若者達が故郷に戻り就農し、また次世代を担う子供たちが農業をしてみようと思うことが日本の農業の発展になる。
そこで、この発明はプラスチック製容器等を使用してボラ土栽培容器を作成し細粒のボラ土を培土として土を耕さないで野菜・薬草の甘草・オタネ（高麗）ニンジン・大和トウキ・ニンニク・ヤーコン・エゾウコギ栽培・わさび栽培が出来るボラ土容器栽培方法を提供すことを目的とする。
【課題を解決するための手段】
【０００４】  市販されているプランター（底面に排水孔がある方式）に培土の細粒のボラ土を約２０ｃｍ入れて、ほうれん草・小松菜の種を蒔き散水をして栽培試験を実施したが排水孔が底面にあるため、散水をしても水分が殆ど残らず排水し約半日で乾燥して発芽しなかった。
以上の課題を解決するために、
第一発明は、
プラスチック製容器等の側面全体に底面からの高さ２ｃｍの位置に直径５ｍｍ以内の複数の排水孔と容器の側面全体に排水孔の高さより高い適宜の位置に直径５ｍｍ以内の複数の通気孔を設けた栽培容器の形状を特徴とするボラ土栽培容器である。
第二発明は、
ボラ土栽培容器に細粒ボラ土を培土として土を耕さないで野菜・薬草の甘草・オタネ（高麗）ニンジン・大和トウキ・ニンニク・ヤーコン・エゾウコギ栽培・わさび栽培が出来ることを特徴とするボラ土容器栽培方法である。
【発明の効果】
【０００５】  第一発明、または第二発明によれば任意のプラスチック製容器等の側面全体に底面からの高さ２ｃｍの位置に直径５ｍｍ以内の排水孔を複数設けることにより上部より注水した場合に底面から２ｃｍ以下までのボラ土間は貯水水溜りされ底面潅水方式を形成することができる。この排水孔の高さは栽培するための容器の容量及び作物種類によらず貯水水溜りを作るため設けるものであり排水孔を底面から２ｃｍの高さの位置に設けた場合は底面潅水方式を形成することで培土の量は底面から最大２５ｃｍの高さまで底面潅水され培土のボラ土に適度の水分を与えることにより乾燥を防ぎ培土の水分コントロールができ植物根が水分を求め成長することで生育が早くなる。培土の量深さが２５ｃｍ以内であることで水分過多を起こさず栽培に適切な培土の量になる。２ｃｍ以上の位置に排水孔を設けた場合は貯水潅水量が多くなるため陪土を多く（深く）しなければならないため不経済である。栽培には培土の深さ２５ｃｍで十分な量である。また底面より１ｃｍ以下の位置に排水孔を設けた場合には貯水水溜り量が少ないため培土の量は底面から５ｃｍ以下に少なくなり野菜・根野菜の根の生育が悪くなり栽培野菜の成長が悪く生育不良野菜になる。また貯水水溜り量が少ないため散水を頻繁にしなければならないため水分過多を起こし根腐れを誘引することになる。このボラ土栽培容器の排水孔の高さは底面より高さ２ｃｍの位置が最適である。及び容器の側面全体に排水孔の高さより高い適宜の位置に複数の通気孔を設けることにより植物の生育に必要な空気酸素を吸収することができるようになる。この容器の側面全体に底面から２ｃｍの位置に直径５ｍｍ以下の複数の排水孔と側面全体に排水孔より高い適宜の位置に直径５ｍｍ以下の通気孔を複数設けたことを特徴とするボラ土栽培容器である。
第一発明のボラ土栽培容器に底面より１０ｃｍ以上２５ｃｍ以内の高さにボラ土の細粒を入れ種を蒔きまたは苗を植え付けることにより野菜・薬草の甘草・オタネ（高麗）ニンジン・大和トウキ・ニンニク・ヤーコン・エゾウコギ栽培・わさび栽培において土を耕さずボラ土を培土としたボラ土容器栽培方法が出来る。容器栽培のため運搬・移動（栽培地の変更）が容易であり初回に倍土を容器に入れ栽培収穫後に容器ごと水洗いすることで病害虫の発生が少なく連作障害が起こらず零れた量の培土を補充することで何回でも数年でも再利用出来る。また容器栽培のために雑草が生えにくく除草の手間が省け、底面に貯水されることで散水を２〜７日ごとに行うこと（栽培環境で異なる）で水分調整管理が容易である。
農業機械を使用せず土を耕さないことで生産管理維持コストを大幅に削減出来る事で『儲かる農業経営』が出来ることを特徴とするボラ土容器栽培方法である。
【図面の簡単な説明】
【０００６】
【図１】この発明の実施形態ボラ土栽培容器の正面図及び右側面図である。背面図・左側面図は同一のため省略
【図２】ボラ土容器栽培方法の正面図及び右側面である。背面図・左側面図は同一のため省略
【図３】丸型ペットボトルを使用したボラ土容器栽培方法の正面図である。背面図・側面図は同一のため省略
【発明を実施するための形態】
【０００７】  この発明の第一実施形態を図１に示す。プラスチック製容器等の側面全体に底面からの高さ２ｃｍの位置に複数の５ｍｍ以下の排水孔２及び側面全体に排水孔の高さより高い適宜の位置に複数の５ｍｍ以下の通気孔３を設けたボラ土栽培容器を作成する。
プラスチック製容器のため通電した３０ワットの半田ごてを利用することで簡単に誰でも排水孔・通気孔の作成ができる。
この発明の第二実施形態を図２に示す。第一図面のボラ土栽培容器１に底面より１０ｃｍ以上２５ｃｍ以内の高さの細粒ボラ土を培土として野菜・薬草の甘草・オタネ（高麗）ニンジン・大和トウキ・ニンニク・ヤーコン・エゾウコギ栽培・わさび栽培ができるボラ土容器栽培方法である。
【実施例１】
【０００８】  プラスチック製衣装ケースを利用してボラ土栽培容器を作成し細粒のボラ土を底面から２０ｃｍの高さの培土に有機肥料を混ぜて大根・人参の種子を蒔き種子が隠れる程度に表面をなぜて排水孔から少し滲み出る程度に散水をして露地試験栽培を実施した。発芽するまでは表面が乾かないように遮光して庭で試験栽培を実施した。種まき後は毎日霧吹きを実施栽培４日目に大根が発芽し人参は６日後発芽した。その後は２日に１回霧吹きを発芽後１０日まで実施その後は４日に１回の頻度で排水孔より少し滲む程度に散水を繰返し１週間１回液体肥料の５００倍液を与えた結果順調に生育し大根は５ｃｍ径長さ２１ｃｍになり人参は３ｃｍ径長さ１６ｃｍになり収穫することができた。その後容器に培土を入れたまま水洗いして細根を取り除き「玉葱」の１０ｃｍ苗を植付同様に栽培を実施した結果順調に生育した。このことからボラ土容器栽培方法で根野菜の栽培が出来ることが確認された。
【実施例２】
【０００９】  プラスチック製衣装ケース深さ２５ｃｍの容器を利用して排水孔の高さ１ｃｍにしたボラ土栽培容器を作成し細粒のボラ土を底面から５ｃｍの高さの培土に有機肥料を混ぜて小松菜・ほうれん草の種子を蒔き種子が隠れる程度に表面をなぜて排水孔より少し滲み出る程度に散水をして露地試験栽培を実施した。発芽するまでは表面が乾かないように遮光して庭で試験栽培を実施した。種まき後は毎日霧吹きを実施栽培６日目に小松菜が発芽し、ほうれん草は７日後発芽した。その後は２日に１回霧吹きを発芽後１０日まで実施その後は４日に１回の頻度で排水孔より少し滲む程度に散水を繰返し１週間に１回液体肥料の５００倍液を与えたが発芽はするが生育が悪く小松菜は葉が小さく成長が悪い。ほうれん草は茎が伸びても葉が小さく長さは１０ｃｍに満たない程度にしか成長しない不良野菜になった。このことから排水孔の高さは２ｃｍで培土は１０ｃｍ以上が必要なことが判明した。
【実施例３】
【００１０】  プラスチック製衣装ケース深さ２５ｃｍの容器を利用して排水孔の高さ２ｃｍのボラ土栽培容器を作成し細粒のボラ土を底面から２０ｃｍの高さの培土に有機肥料を混ぜて小松菜・ほうれん草・水菜・ハニーレタス・パセリの種を蒔き表面を種が隠れる程度になぜて遮光をして庭で露地試験栽培を実施した。発芽するまでは表面が乾かないように霧吹きし栽培４〜７日目に発芽した。２日に１回霧吹きを発芽後１ヶ月間まで実施その後は４日に一回の頻度で排水孔より少し滲む程度に散水を繰返し１週間に１回液体肥料の５００倍液を与えた結果順調に生育し小松菜・ほうれん草小松菜・ほうれん草・水菜・ハニーレタス・パセリともに２０ｃｍ以上に生育し収穫することができた。このことからボラ土容器栽培方法で葉野菜の栽培ができることが確認され排水孔の高さは２ｃｍが最適で培土の量深さは底面から１０ｃｍ以上２５ｃｍ以内にすることが必要であることが判明した。同様にしてレタス・キャベツ栽培を実施した結果生育し収穫できた。
【実施例４】
【００１１】  ２リットルの再生ペットボトルの底面から２５ｃｍの所から切り取り高さ２５ｃｍの高さのボラ土栽培容器を４個作成して胡瓜２本とトマトの苗２本約１０ｃｍを１本ずつ４個のボラ土栽培容器に底面から２４ｃｍの高さに細粒のボラ土を入れベランダで試験栽培を実施した。植え付けから２週間は２日に１回霧吹きしその後は１週間に１回液体肥料５００倍を散水し排水孔より少し溢れ出るぐらいにして４本の胡瓜・トマト栽培をした３ヶ月後４本ともに生育し果実を着けた。このことからボラ土容器栽培方法で果実野菜栽培ができることが確認された。同様にしてメロンの苗２本を１本ずつベランダでボラ土容器栽培方法を実施した結果メロン果実が出来た。
【実施例５】
【００１２】  ９月初旬１リットルペットボトルの底面より２０ｃｍの所から切り取りボラ土栽培容器を５個作成し底面から２０ｃｍの高さに細粒のボラ土を入れボラ土に有機肥料を少なめに混ぜて発芽した甘草５ｃｍ苗２本・大和トウキ５ｃｍ茎２本・ヤーコンの苗１本を植え付けて水分は少なくして栽培した植え付けから２週間は甘草は１日おきに大和トウキ・ヤーコンは毎日霧吹きした。その後は甘草は２週間に１回・大和トウキ・ヤーコンは５日に１回排水孔より滲まないように散水をして試験栽培を実施した結果１１月末までに甘草１３〜１５ｃｍまで成長し主根の長さ１０〜１５ｃｍに成長していた。大和トウキは９月初旬から１１月末まで新芽が４本出て主根の長さ１５ｃｍ前後まで成長した。１２月初旬２リットルペットボトルの底面より２５ｃｍの所から切り取り底面から２４ｃｍの高さに細粒のボラ土を入れボラ土栽培容器を作成し、甘草・大和トウキ・ヤーコンを植え替えて温室内に保管管理１２月葉が落ちたが２月中旬甘草・大和トウキ・ヤーコン共新芽が出て３月中旬５ｃｍ〜８ｃｍまで成長している。同様にして２月初旬から甘草の苗２本を１本ずつ温室で栽培３月末５ｃｍまで成長し生育している。このことからボラ土容器栽培方法で薬草の甘草・大和トウキ・ヤーコンが栽培できることが確認された。
【実施例６】
【０００１３】プラスチック製コンテナボックスの高さ２５ｃｍ容器を利用しボラ土栽培容器２個を作成して底面より２０ｃｍまでボラ土に有機肥料を混ぜて、わさび種子５０粒・オタネ（高麗）ニンジン１００粒を別々の容器に１月播種し室内で試験栽培を実施した。わさび種子は１月中旬室内温度１０〜１８度（約１０日前後で発芽）３６本発芽した。オタネ（高麗）ニンジンは１月末から２月中旬までに（約２５日から３５日前後で）６８本発芽した。発芽後温室温度１５度へ移動したその後わさび苗は３６本ともに３月末１０ｃｍまで成長し新芽３〜４葉増えている。オタネ（高麗）ニンジンは３月末までに茎が１０ｃｍ〜１２ｃｍまで成長し主根は５ｃｍ〜１０ｃｍに成長している。オタネ（高麗）ニンジンは前年５本栽培（１年根）の主根の長さ約６〜１０ｃｍを１月ボラ土容器に植え付けた３月初旬５本ともに発芽し茎は８ｃｍから１２ｃｍまでに生育している。同様にして容器を作成し同様に倍土を入れボラ土栽培容器でにんにく３０個・エゾウコギ５ｃｍ苗３本を植え付け実施した結果３０個ともに３０日前後で発芽した。ニンニク・エゾウコギ共に３ヶ月で茎が２０ｃｍ以上に生育している。このことからボラ土容器栽培方法でオタネ（高麗）ニンジン・ニンニク・エゾウコギの薬草栽培ができること及びわさび栽培が出来ることが確認された
【他の実施形態】
【００１４】  図１・２の実施形態では、プラスチック容器等とは高さが１０ｃｍ以上のプラスチック製ケース・プラスチック製コンテナボックス及び衣装ケース・ペットボトルでありボラ土栽培容器底面には排水孔・通気孔を設けない。
排水孔の高さの許容誤差は上限下限それぞれ３ｍｍ以内とする．排水孔・通気孔の直径の許容誤差は２ｍｍ以内とする。
図１・２・３の実施形態では、ボラ土栽培容器の大きさは栽培する野菜・薬草の種類の大きさに応じたボラ土栽培容器にするもので良い。またボラ土の量は底面より１０ｃｍ以上２５ｃｍ以内で栽培する野菜・薬草のオタネ（高麗）ニンジン・大和トウキ・ニンニク・ヤーコン・エゾウコギ栽培・わさび栽培の種類の大きさに応じたボラ土栽培容器の大きさ容量にするもので良い。最適な培土量（深さ）は底面から２０ｃｍである。薬草の甘草は生育１年後から培土の量深さは底面から５０ｃｍのボラ土栽培容器に植え替えるものとする。
【産業上の利用可能性】
【０００１５】  ボラ土容器栽培方法のため土地利用型農業の農地・機械に依存せず震災の汚染地域・自然災害等で農業をしたくてもできない地域での野菜栽培及び大都市の空調管理されたオフィス内机上で薬草の甘草・オタネ（高麗）ニンジン・大和トウキ・ニンニク・ヤーコン・エゾウコギ・わさび等が生育し観賞しながら栽培できる。またレストラン内・デパートの野菜売り場・コンビニ等の店内でレタス・キャベツ・水菜・ほうれん草・パセリ・バジル等の野菜が生育しながら新鮮で安心のもぎたて野菜が販売できる。葉野菜は栽培容器ごとの販売ができ購入者が食卓で生育させながら新鮮な野菜を使用できる。新しい野菜販売方式を採用できる。ボラ土容器栽培方法は花木栽培も出来る事で花屋さんの店頭で切り花しないで生育しながらの花木販売が出来る。光・水・スペースが確保できる場所で葉野菜・根野菜・薬草の甘草・オタネ（高麗）ニンジン・大和トウキ・ニンニク・ヤーコン・エゾウコギ栽培・わさび栽培・花木類等のボラ土容器栽培方法ができる。根野菜・薬草栽培が困難な植物工場及び大都市地域の空きビル内・ビル施設内等で天候に左右されずに安全な無農薬の野菜・薬草の甘草・オタネ（高麗）ニンジン・大和トウキ・ニンニク・ヤーコン・エゾウコギ栽培・わさび栽培が出来るほか大都市地域のビル屋上の空きスペース等で葉野菜・根野菜のボラ土容器栽培方法が利用できる。高齢化が進み農業をしたくてもできない過疎化地域の未耕作地の開墾費用を賭けず農地機械に依存せずに野菜・薬草の甘草・オタネ（高麗）ニンジン・大和トウキ・ニンニク・ヤーコン・エゾウコギ栽培・わさび栽培ができるボラ土容器栽培方法である。農地を耕さない容器栽培であり容器は安価なプラスック製ケース・ペットボトル等の再利用が可能でボラ土は安価でボラ土と容器は収穫後培土を入れたまま水洗いし残った細根を取り除くことで連作障害が起きず除草の手間が省け何度でも繰り返し再利用できる事で生産コストを最小限にすることが出来る。ボラ土容器栽培方法を用いた農業経営を行うことで『儲かる農業』に成る。集落営農等の連携プロジェクトのハウス栽培組織化により、中山間地域の経営を安定化・改善し野菜・薬草栽培により高収益な作物栽培体型を推進し野菜栽培・薬草の甘草・オタネ（高麗）ニンジン・大和トウキ・ニンニク・ヤーコン・エゾウコギ栽培・わさび栽培の生産能力を向上し円滑な経営継承を行い『儲かる農業』経営を普及させることで農業の脆弱化を防止することができる。機械力に頼らずボラ土・容器は軽量なため簡単で誰でも栽培出来ることで高齢者・女性の雇用の拡大ができる。農地土壌に依存せず農業機械を使用しないで高収益を実現できる栽培技術を提供できるボラ土容器栽培方法である。
【符号の説明】
【００１６】１：プラスチック製容器  （高さ１０ｃｍ以上のプラスチック製ケース・プラスチック製コンテナボックス及び衣装ケース・ペットボトル）
２：排水孔
３：通気孔
４：培土（細粒１ｃｍ平方以下のボラ土）
５：植物
６：排水孔の高さの基準線
【図１】
2019187399.tif 000003
【図２】
2019187399.tif 000004
【図３】
2019187399.tif 000005